(57)【要約】      （修正有）【課題】在庫商品の流通を促進し、販売機会を増大させる。【解決手段】自己の在庫商品を貸し出しする在庫貸出者から、少なくとも貸出する在庫商品を識別する在庫商品識別データと、前記在庫商品を借り入れた在庫借入者が、借り入れた在庫商品を第三者に対して販売した際に発生する販売時条件データとを含んだ在庫貸出希望データを受け付ける在庫貸出希望データ受付手段と、前記在庫商品を借り入れて第三者に販売する在庫借入者から、少なくとも借入する在庫商品を識別する在庫商品識別データを含んだ在庫借入希望データを受け付ける在庫借入希望データ受付手段と、前記在庫借入希望データ及び、前記在庫貸出希望データに基づいて特定される条件をマッチング条件として、前記在庫貸出者と在庫借入者とをマッチングするマッチング手段と、前記マッチング手段にてマッチングした結果を出力するマッチング結果出力手段とを備える。【選択図】図３
2006163493.tif 000002
【特許請求の範囲】
【請求項１】
自己の在庫商品を貸し出しする在庫貸出者から、少なくとも貸出する在庫商品を識別する在庫商品識別データと、前記在庫商品を借り入れた在庫借入者が、借り入れた在庫商品を第三者に対して販売した際に発生する販売時条件データとを含んだ在庫貸出希望データを受け付ける在庫貸出希望データ受付手段と、
前記在庫商品を借り入れて第三者に販売する在庫借入者から、少なくとも借入する在庫商品を識別する在庫商品識別データを含んだ在庫借入希望データを受け付ける在庫借入希望データ受付手段と、
前記在庫借入希望データ受付手段にて受け付けた在庫借入希望データ及び、前記在庫貸出希望データ受付手段にて受け付けた在庫貸出希望データに基づいて特定される条件をマッチング条件として、前記在庫貸出者と在庫借入者とをマッチングするマッチング手段と、
前記マッチング手段にてマッチングした結果を出力するマッチング結果出力手段とを備えることを特徴とする在庫商品貸借支援装置。
【請求項２】
前記販売時条件データが、在庫商品が販売された際に発生する料金データであることを特徴とする請求項１記載の在庫商品貸借支援装置。
【請求項３】
在庫借入者が借り入れた在庫商品の販売実績に基づいた優先順位に従ってマッチングを行うマッチング手段であることを特徴とする請求項１又は２記載の在庫商品貸借支援装置。
【請求項４】
在庫貸出希望データを、在庫借入者が在庫貸出者を特定できない状態で出力する在庫貸出希望データ出力手段を有することを特徴とする請求項１乃至４記載の在庫商品貸借支援装置。
【請求項５】
前記マッチング手段にてマッチングが成立し、貸出が決定した在庫商品の発送データを記憶する発送データ記憶手段と、
前記発送データ記憶手段に一定期間内に記憶された複数の発送データを、予め定めた発送条件に従って分類して集積する発送データ管理手段と、
前記発送データ管理手段にて分類された発送データを前記発送データ記憶手段から読み出して発送を指示する発送データを出力する発送データ出力手段とを有することを特徴とする請求項１乃至４記載の在庫商品貸借支援装置。
【請求項６】
コンピュータを機能させるためのプログラムにおいて、前記コンピュータを、
自己の在庫商品を貸し出しする在庫貸出者から、少なくとも貸出する在庫商品を識別する在庫商品識別データと、前記在庫商品を借り入れた在庫借入者が、借り入れた在庫商品を第三者に対して販売した際に発生する販売時条件データとを含んだ在庫貸出希望データを受け付ける在庫貸出希望データ受付手段と、
前記在庫商品を借り入れて第三者に販売する在庫借入者から、少なくとも借入する在庫商品を識別する在庫商品識別データを含んだ在庫借入希望データを受け付ける在庫借入希望データ受付手段と、
前記在庫借入希望データ受付手段にて受け付けた在庫借入希望データ及び、前記在庫貸出希望データ受付手段にて受け付けた在庫貸出希望データに基づいて特定される条件をマッチング条件として、前記在庫貸出者と在庫借入者とをマッチングするマッチング手段と、
前記マッチング手段にてマッチングした結果を出力するマッチング結果出力手段として機能させるための在庫商品貸借支援プログラム。
【請求項７】
コンピュータを機能させるためのプログラムにおいて、前記コンピュータを、
自己の在庫商品を貸し出しする在庫貸出者から、少なくとも貸出する在庫商品を識別する在庫商品識別データと、前記在庫商品を借り入れた在庫借入者が、借り入れた在庫商品を第三者に対して販売した際に発生する料金データからなる販売時条件データとを含んだ在庫貸出希望データを受け付ける在庫貸出希望データ受付手段として機能させるための請求項６記載の在庫商品貸借支援プログラム。
【請求項８】
コンピュータを機能させるためのプログラムにおいて、前記コンピュータを、
在庫借入者が借り入れた在庫商品の販売実績に基づいた優先順位に従ってマッチングを行うマッチング手段として機能させるための請求項６又は７記載の在庫商品貸借支援プログラム。
【請求項９】
コンピュータを機能させるためのプログラムにおいて、前記コンピュータを、
在庫貸出希望データを、在庫借入者が在庫貸出者を特定できない状態で出力する在庫貸出希望データ出力手段として機能させるための請求項６乃至８記載の在庫商品貸借支援プログラム。
【請求項１０】
コンピュータを機能させるためのプログラムにおいて、前記コンピュータを、
前記マッチング手段にてマッチングが成立し、貸出が決定した在庫商品の発送データを記憶する発送データ記憶手段と、
前記発送データ記憶手段に一定期間内に記憶された複数の発送データを、予め定めた発送条件に従って分類して集積する発送データ管理手段と、
前記発送データ管理手段にて分類された発送データを前記発送データ記憶手段から読み出して発送を指示する発送データを出力する発送データ出力手段として機能させるための請求項６乃至９記載の在庫商品貸借支援プログラム。
【発明の詳細な説明】
【技術分野】
【０００１】
本発明は、商品の在庫商品を好適に流通させる際に利用されるものである。
【背景技術】
【０００２】
従来、例えばアパレル業界などの小売業者は、個別に在庫商品を抱えおいて、当該自己の在庫商品を購買者に販売している。
【０００３】
一方、インターネットに代表される通信システムや装置の発達で、近時、インターネットのデータ性及びリアルタイム性を利用した電子商取引が盛んになっている。
【０００４】
例えば前述のような電子商取引として、購買者が、前記小売業者の運営するＷＥＢサイトにアクセスし、小売業者が提示している在庫商品情報や販売希望価格にて希望する商品をオンラインで購買できるものが挙げられる。（例えば、特許文献１参照）
（例えば、特許文献１を参照）。
【特許文献１】特開２００３−１５９１２４号
【発明の開示】
【発明が解決しようとする課題】
【０００５】
しかし、個々の小売業者は独自に在庫商品を抱えているため、仕入れコスト等の関係から、新しい商品を仕入れたいと希望しても古い在庫商品がはけるまで新しい商品を仕入れることができない。
【０００６】
すると、新しい商品を提示することにより購買者の興味を引くことができないため、購買者に来店や自社のサイトにアクセスしてもらう機会を失ってしまい、益々在庫商品が売残るという悪循環に陥ってしまう。
【課題を解決するための手段】
【０００７】
そこで、本願発明においては、自己の在庫商品を貸し出しする在庫貸出者から、少なくとも貸出する在庫商品を識別する在庫商品識別データと、前記在庫商品を借り入れた在庫借入者が、借り入れた在庫商品を第三者に対して販売した際に発生する販売時条件データとを含んだ在庫貸出希望データを受け付ける在庫貸出希望データ受付手段と、前記在庫商品を借り入れて第三者に販売する在庫借入者から、少なくとも借入する在庫商品を識別する在庫商品識別データを含んだ在庫借入希望データを受け付ける在庫借入希望データ受付手段と、前記在庫借入希望データ受付手段にて受け付けた在庫借入希望データ及び、前記在庫貸出希望データ受付手段にて受け付けた在庫貸出希望データに基づいて特定される条件をマッチング条件として、前記在庫貸出者と在庫借入者とをマッチングするマッチング手段と、前記マッチング手段にてマッチングした結果を出力するマッチング結果出力手段とを備える在庫商品貸借支援装置を構成した。
【０００８】
この在庫商品貸借支援装置を用いることにより、在庫商品を抱える様々な業界において、業者等が抱える在庫商品の流通を支援促進することが可能となる。つまり、各々の業者が抱える在庫商品を業者間にて流通させ、在庫商品の共有化を図ることで、在庫商品の仕入れリスクを軽減できると同時に必要な商品を効率よく手に入れるシステムを実現することができる。また、これにより在庫商品の販売機会を飛躍的に向上することが可能となる。
【０００９】
具体的には、前記販売時条件データを在庫商品が販売された際に発生する料金データとし、在庫商品が販売された際には貸出者に料金が支払われるシステムを構築することで、在庫貸出者の出品意欲を増進させて本システムの稼動を促進することができる。
【００１０】
また、在庫借入者が借り入れた在庫商品の販売実績に基づいた優先順位に従ってマッチングを行うことにより、在庫借入者が借り入れた在庫商品を販売しようとする意欲をかきたて、在庫商品の販売機会を更に増大させることができる。
【００１１】
加えて、在庫貸出希望データを、在庫借入者が在庫貸出者を特定できない状態で出力する在庫貸出希望データ出力手段を有することで、在庫貸出者の匿名性を確保すると共に、在庫貸出者と在庫借入者とが直接取引きすることを未然に防止することが可能となる。
【００１２】
更に、貸し出しが確定した在庫商品の効率的な発送を行うためには、前記マッチング手段にてマッチングが成立し、貸出が決定した在庫商品の発送データを記憶する発送データ記憶手段と、前記発送データ記憶手段に一定期間内に記憶された複数の発送データを、予め定めた発送条件に従って分類して集積する発送データ管理手段と、前記発送データ管理手段にて分類された発送データを前記発送データ記憶手段から読み出して発送を指示する発送データを出力する発送データ出力手段とを備えると良い。
【発明の効果】
【００１３】
必要な在庫商品をリアルタイム且つ低コストで手に入れることができ、ある所ではデットストックとなっていた商品が別の所で販売される機会を得ることにより、個々の小売業者のみならず市場全体の活性化にも繋げることが可能となる。
【発明を実施するための最良の形態】
【００１４】
以下、本発明の実施形態を、図面を参照して説明する。
【００１５】
この実施形態における在庫商品貸借支援システムＳは、例えば、アパレル業者等が抱える在庫商品の流通を支援促進するためのものであり、各々の業者が抱える在庫商品を業者間にて流通させ、在庫商品の共有化を図ることで仕入れリスクを軽減させ販売機会を増大させるものである。
【００１６】
図１に示すように、当該衣服等の在庫商品を抱える在庫貸出者側にそれぞれ設けられた情報処理装置たる在庫貸出者側端末装置Ｐ１及び在庫商品の在庫借入者である在庫借入者側に設けられた情報処理装置たる在庫借入者側端末装置Ｐ２とインターネットＮＥＴ等の通信回線を介して双方向通信可能に接続された情報処理装置たる在庫商品貸借支援装置ＳＲＶにより構成される。また、貸借が決定した在庫商品を実際に配送する配送業者側に設けられた情報処理装置たる配送業者側端末装置Ｐ４も前記ネットワーク内に接続されている。
【００１７】
そして、在庫借入者が、インターネットＮＥＴ等の通信回線を通じて前記在庫商品貸借支援装置ＳＲＶの提供するＷＥＢサイトにアクセスすることにより、当該ＷＥＢサイト上で、貸出を希望する在庫商品に関する情報を検索したり、前記在庫商品の借り入れが実現できるものである。
【００１８】
ここで在庫借入者とは、本実施形態においては、例えば衣服などの各種商品を取り扱うアパレル業者であり、不特定多数の業者のうち、本設備を利用可能な者として登録されたもののことを指す。尚、貸借される在庫商品は上記のものに限られないのはもちろんである。また、前記登録は、登録支援手段（図示しない）を利用して行われる。この登録支援手段は、前記不特定の在庫借入者が、例えばオンラインにより在庫商品貸借支援装置ＳＲＶにアクセスした場合に、その在庫借入者の基本データの入力を要求し、その在庫借入者に、識別子たるＩＤを発行するとともに、このＩＤに関連付けて基本データを記憶するものである。在庫借入者として登録された後は、そのＩＤ及び必要に応じてパスワードを端末に入力することにより、本設備の利用が可能となる。
【００１９】
当該在庫借入者は、在庫商品を一定期間借り入れている間に自己の店舗等にて当該在庫商品を販売する。そして、借り入れた在庫商品が販売できた場合には、借入の際に定めていた販売時条件に従って、例えば貸出者に貸出料金の支払いなどを行う。一方、借入期間が終了しても販売できなかった場合には、在庫貸出者に在庫商品を返却する。
【００２０】
在庫貸出者は、自己のもつ在庫商品（本実施の形態においては、衣服等）を、貸出期間等の貸出条件を定めた上で、借り入れ希望者に貸し出す。貸出条件は、在庫貸出者が定めても良いし、予め在庫商品貸借支援装置ＳＲＶを運営する運営者側にて定めた貸出条件であっても良い。また、当該貸出条件の中には、前記在庫商品を借り入れた在庫借入者が、借り入れた在庫商品を第三者に対して販売した際に発生する販売時条件、例えば、前述の通り貸出料金の支払いの条件や、在庫商品の交換等の条件が含まれる。また、在庫借入者同様、本設備を利用可能な者として登録された者に限ることも考えられる。なお、登録にあたっての手続やＩＤ取得等に関しても上述と同様であるので説明は省略する。
１．機器構成
次いで、この在庫商品貸借支援システムＳを構築するにあたって利用する機器構成について説明すると、在庫貸出者側端末装置Ｐ１、在庫借入者側端末装置Ｐ２は、いわゆるパーソナル装置や、ファクシミリ装置、電話等も含む概念であり、実施に際しては、これらの機器が併用されることもあるが、本実施形態の以下の説明においては在庫貸出者側端末装置Ｐ１、在庫借入者側端末装置Ｐ２がパーソナル装置である場合について説明する。なお、これらの所在は、国内に限られず、海外でも構わない。
【００２１】
また、これら在庫貸出者側端末装置Ｐ１、在庫借入者側端末装置Ｐ２は、図２に示すように、ＣＰＵ１０１、内部メモリ１０２、ＨＤ等の外部記憶装置１０３、キーボードやマウス等の入力インターフェース１０４、ディスプレイ等の表示手段１０５、通信インタフェース１０６等を備えたもので、ＷＥＢブラウザ等を有する。
【００２２】
在庫商品貸借支援装置ＳＲＶは、ＷＥＢサーバ機能やデータベース機能等を備えたものであり、在庫貸出者側端末装置Ｐ１、在庫借入者側端末装置Ｐ２と略同様な機器構成を有してなる。なお、この在庫商品貸借支援装置ＳＲＶは、一箇所に集中させて設けてあるか、分散させて設けてあるかは問わないし、その所在は国内に限られず、海外でも構わない。
２．概略機能
しかして本実施形態における在庫商品貸借支援システムは、図３に示すように、前記在庫貸出者側端末装置Ｐ１、在庫借入者側端末装置Ｐ２や在庫商品貸借支援装置ＳＲＶの記憶装置、配送業者側端末装置Ｐ４に記憶させた所定のプログラムにしたがって、それら装置Ｐ１、Ｐ２、ＳＲＶ、Ｐ４におけるＣＰＵや周辺機器が作動することにより、以下に示す各種機能を発揮する。
【００２３】
以下、装置毎に詳述する。
【００２４】
在庫貸出者側端末装置Ｐ１は、図３に示すように、少なくとも在庫貸出希望データ出力手段１Ａ、在庫借入希望データ受付手段１Ｂ、マッチング結果受付手段１Ｃ、管理状況データ受付手段１Ｄとしての機能を有している。
【００２５】
ここで、在庫貸出希望データ出力手段１Ａは、在庫商品貸借支援装置ＳＲＶへ送信するデータ、具体的には、在庫貸出者が貸出を希望する在庫商品に関する在庫貸出希望データを送信するためのものであり、主としてキーボードやスキャナ等により受け付けた情報を、電話回線網を介して直接的なダイヤルアップ接続を確立して、又はインターネットＮＥＴ回線網を介して接続を確立することにより在庫商品貸借支援装置ＳＲＶとの間で送受信を行う状態をとりうるものである。主として、通信インタフェース１０６等を用いてサイトへアクセス可能とするもので、各種データを送受信する機能を有する。
【００２６】
また、前記在庫貸出希望データとしては、在庫商品識別データとなる在庫商品識別子や、在庫商品名、当該在庫商品の画像、当該在庫商品を在庫貸出者の店舗にて販売していた販売時期、その販売時の販売価格、ターゲット年齢、販売実績などの在庫商品情報の他、在庫借入者が販売した際に受け取る貸出価格、貸出商品数、貸出期間等の各種貸出条件に関する情報等のデータが含まれる。
【００２７】
在庫借入希望データ受付手段１Ｂは、前記在庫商品貸借支援装置ＳＲＶから送信される在庫借入希望データを受け付ける機能を有するもので、主として、通信インタフェース１０６等を用いて、例えば電子メール等によりデータを送受信する。
【００２８】
ここで、在庫借入希望データとしては、在庫商品識別データとなる在庫商品識別子や、在庫商品名、当該在庫商品の画像、当該在庫商品を在庫貸出者の店舗にて販売していた販売時期、その販売時の販売価格、ターゲット年齢、販売実績などの在庫商品情報の他、在庫借入者が販売した際に受け取る貸出価格、貸出商品数、貸出期間等の各種貸出条件に関する情報等のデータが含まれる。
【００２９】
マッチング結果受付手段１Ｃは、前記在庫商品貸借支援装置ＳＲＶから送信されるマッチング結果データを受け付ける機能を有するもので、主として、通信インタフェース１０６等を用いて、例えば電子メール等によりデータを送受信する。
【００３０】
当該マッチング結果データとしては、後述する在庫商品貸借支援装置ＳＲＶのマッチング手段３Ｆを用いて判断した貸借される在庫商品に関するマッチング結果を受け付ける。尚、同時に貸出条件等に関するデータを受け付けても良い。
【００３１】
管理状況データ受付手段１Ｄは、前記在庫商品貸借支援装置ＳＲＶから送信される管理状況データを受け付ける機能を有するもので、主として、通信インタフェース１０６等を用いて、例えば電子メール等によりデータを受信する。
【００３２】
管理状況データとしては、現在貸出されている在庫商品の状況、つまり、貸出中、販売済み、貸出期間満了などの貸出した在庫商品の管理状況を表すデータである。
【００３３】
在庫借入者側端末装置Ｐ２は、図３に示すように、少なくとも在庫借入希望データ出力手段２Ａ、在庫貸出希望データ受付手段２Ｂ、マッチング結果受付手段２Ｃ、管理状況データ受付手段２Ｄとしての機能を有している。
【００３４】
ここで、在庫借入希望データ出力手段２Ａは、在庫商品貸借支援装置ＳＲＶへ送信するデータ、具体的には、在庫借入者が借入を希望する在庫商品に関する在庫借入希望データを送信するためのものであり、主としてキーボード１０１やスキャナ等により受け付けた情報を、電話回線網を介して直接的なダイヤルアップ接続を確立して、又はインターネットＮＥＴ回線網を介して接続を確立することにより在庫商品貸借支援装置ＳＲＶとの間で送受信を行う状態をとりうるものである。主として、通信インタフェース１０６等を用いてサイトへアクセス可能とするもので、各種データを送受信する機能を有する。
【００３５】
ここで、在庫借入希望データとしては、在庫借入者がどのような在庫商品の借入を希望しているかの情報、具体的には、借入する在庫商品を識別する在庫商品識別データ、つまり、借り入れを希望する在庫商品識別子や在庫商品名、借入期間、借入数量等の各種借入希望条件を定める情報の他、貸出者への質問、希望する在庫商品の検索項目などに関するデータが含まれる。
【００３６】
在庫借入希望データ受付手段２Ｂは、前記在庫商品貸借支援装置ＳＲＶから送信される在庫借入希望データを受け付ける機能を有するもので、主として、通信インタフェース１０６等を用いて、例えば電子メール等によりデータを受信する。
【００３７】
マッチング結果受付手段２Ｃは、前記在庫商品貸借支援装置ＳＲＶから送信されるマッチング結果データを受け付ける機能を有するもので、主として、通信インタフェース１０６等を用いて、例えば電子メール等によりデータを受信する。
【００３８】
当該マッチング結果データとしては、後述する在庫商品貸借支援装置ＳＲＶのマッチング手段３Ｆを用いて判断された貸借される在庫商品に関するマッチング結果を受け付ける。尚、同時に貸出条件等に関するデータを受け付けても良い。
【００３９】
管理状況データ受付手段２Ｄは、前記在庫商品貸借支援装置ＳＲＶから送信される管理状況データを受け付ける機能を有するもので、主として、通信インタフェース１０６等を用いて、例えば電子メール等によりデータを受信する。
【００４０】
管理状況データとしては、現在貸出されている在庫商品の状況、つまり、貸出中、販売済み、貸出期間満了などの貸出した在庫商品の管理状況を表すデータである。尚、管理状況が販売済みとなった場合には、後述する販売条件等を含むことも考えられる。
【００４１】
次に在庫商品貸借支援装置ＳＲＶは、図３に示すように、少なくとも在庫貸出希望データ受付手段３Ａ、在庫借入希望データ受付手段３Ｂ、記憶手段３Ｃ、在庫貸出希望データ出力手段３Ｄ、在庫借入希望データ出力手段３Ｅ、マッチング手段３Ｆ、マッチング結果出力手段３Ｇ、貸出状況管理手段３Ｈ、貸出状況出力手段３Ｉ、発送データ管理手段３Ｊ、発送データ出力手段３Ｋとしての機能を有している。
【００４２】
在庫貸出希望データ受付手段３Ａは、複数の在庫貸出者側端末装置Ｐ１から送信されてくる少なくとも貸出する在庫商品を識別する在庫商品識別データと、前記在庫商品を借り入れた在庫借入者が、借り入れた在庫商品を第三者に対して販売した際に発生する販売時条件データとを含んだ在庫貸出希望データを受け付けるものである。
【００４３】
本実施形態においては、在庫貸出者側端末装置Ｐ１から送信されてきた在庫商品識別データとなる在庫商品識別子や、在庫商品名、当該在庫商品の画像、当該在庫商品を在庫貸出者の店舗にて販売していた販売時期、その販売時の販売価格、ターゲット年齢、販売実績などの在庫商品情報の他、在庫借入者が販売した際に受け取る貸出価格（本実施形態における販売時条件）、貸出商品数、貸出期間等の各種貸出条件に関する情報等を受け付ける。
【００４４】
ここで、貸出価格とは、在庫借入者が借り入れた在庫商品を第三者に販売した際に、在庫商品の在庫貸出者に対して支払われる価格である。
【００４５】
尚、前記在庫貸出希望データをＣＤ−ＲＯＭやＤＶＤ−ＲＯＭなどの記録媒体等により受け付けても良い。更に、在庫貸出者からＦＡＸや郵便により受け取るようにし、受け取った設備運営者等が、在庫商品貸借支援装置ＳＲＶに直接入力するようにしても構わない。
【００４６】
在庫借入希望データ受付手段３Ｂは、前記在庫商品を借り入れて第三者に販売する在庫借入者から、少なくとも借入を希望する在庫商品に関するデータを含んだ在庫借入希望データを受け付けるものである。
【００４７】
本実施形態においては、在庫借入者がどのような在庫商品の借入を希望しているかの情報、具体的には、借入する在庫商品を識別する在庫商品識別データ、つまり、借り入れを希望する在庫商品識別子や在庫商品名、借入期間、借入数量等の各種借入希望条件を定める情報の他、貸出者への質問、希望する在庫商品の検索項目などに関するデータを受け付ける。
【００４８】
尚、前記在庫借入希望データをＣＤ−ＲＯＭやＤＶＤ−ＲＯＭなどの記録媒体等により受け付けても良い。更に、在庫借入者からＦＡＸや郵便により受け取るようにし、受け取った在庫商品貸借支援装置ＳＲＶの設備運営者等が、在庫商品貸借支援装置ＳＲＶに直接入力するようにしても構わない。
【００４９】
記憶手段３Ｃは、前記在庫貸出希望データ受付手段３Ａにて受け付けた在庫貸出希望データを記憶する在庫貸出希望データ記憶領域と、在庫借入希望データ受付手段３Ｂにて受け付けた在庫借入希望データを記憶する在庫借入希望データ記憶領域と、マッチング手段３Ｆにてマッチングしたマッチング結果を記憶するマッチング結果記憶領域と、貸し出しされた在庫商品の貸出状況を記憶する貸出状況記憶領域と、貸借が決定した在庫商品の発送データを記憶する発送データ記憶領域と、在庫貸出者の登録情報を記憶する在庫貸出者登録情報記憶領域と、在庫借入者の登録情報を記憶する在庫借入者登録情報記憶領域とから構成されている。
【００５０】
在庫貸出希望データ記憶領域には、在庫貸出者が貸し出しを希望する在庫商品に関する情報を記憶しており、具体的には、貸出する在庫商品を識別する在庫商品識別データ、つまり在庫貸出者側端末装置Ｐ１から送信されてきた在庫商品識別子に基づいて、在庫商品名、当該在庫商品の画像、当該在庫商品を在庫貸出者の店舗にて販売していた販売時期、その販売時の販売価格、ターゲット年齢、販売実績などの在庫商品を識別する在庫商品識別情報の他、在庫借入者が販売した際に受け取る貸出価格などの販売時条件や、貸出商品数、貸出期間等の各種貸出条件に関する情報、更には、当該在庫商品の在庫貸出者の在庫貸出者識別子などから構成される在庫貸出者情報等を記憶している。
【００５１】
尚、貸出する在庫商品を識別する在庫商品識別データは、在庫商品識別子に限らず、在庫商品名、当該在庫商品の画像、当該在庫商品を在庫貸出者の店舗にて販売していた販売時期、その販売時の販売価格、ターゲット年齢、販売実績などの在庫商品を識別するものであれば良い。
【００５２】
在庫借入希望データ記憶領域は、在庫借入者がどのような在庫商品の借入を希望しているかの情報を記憶しており、具体的には、借入する在庫商品を識別する在庫商品識別データ、つまり、借り入れを希望する在庫商品識別子や在庫商品名、借入期間、借入数量等の各種借入希望条件を定める情報の他、貸出者への質問などを記憶している。
【００５３】
マッチング結果記憶領域には、在庫商品識別子に基づいて、在庫商品名、当該在庫商品の画像、当該在庫商品を在庫貸出者の店舗にて販売していた販売時期、その販売時の販売価格、ターゲット年齢、販売実績などの在庫商品を識別する在庫商品識別情報の他、在庫借入者が販売した際に受け取る貸出価格などの販売時条件、貸出商品数、貸出期間等の各種貸出条件に関する情報、更に、当該在庫商品の在庫貸出者の在庫貸出者識別子などから構成される在庫貸出者情報、当該在庫商品の在庫借入者の在庫借入者識別子などから構成される在庫借入者情報等が記憶されている。
【００５４】
貸出状況記憶領域は、現在貸出されている在庫商品の状況、つまり、貸出中、販売済み、貸出期間満了などの貸出した在庫商品のステータス情報が記憶されている。
【００５５】
発送データ記憶領域には、マッチングが成立した在庫商品を在庫借入者に発送するための発送データを記憶している。
【００５６】
具体的には、在庫商品識別子に基づいて、当該在庫商品の発送を配送業者等に指示する発送データ送信日時、当該在庫商品の発送先情報、配送業者の連絡先等を含む配送業者情報、在庫商品の在庫借入者に在庫商品を発送する発送日時、当該在庫商品の在庫貸出者情報等を関連付けて格納している。
【００５７】
在庫貸出者登録情報記憶領域は、予め登録された在庫貸出者の登録情報、具体的には、在庫貸出者識別子に基づいて、業者名、住所、電話番号などの在庫貸出者の識別情報のほか、その在庫貸出者の貸出履歴等のデータを格納する。
【００５８】
在庫借入者登録情報記憶領域は、予め登録された在庫借入者の登録情報、具体的には、在庫借入者識別子に基づいて、業者名、住所、電話番号などの在庫借入者の識別情報のほか、その在庫借入者の保証金情報、在庫商品の借入履歴、借り入れた在庫商品販売実績等のデータを格納する。
【００５９】
ここで、借り入れた在庫商品販売実績とは、在庫借入者が在庫貸出者から借り入れた在庫商品を第三者に販売した実績をいい、具体的には、販売された在庫商品識別子に基づいて、販売日時、借入日時、在庫借入者、在庫貸出者、貸出条件等が在庫商品販売実績として記憶される。
【００６０】
マッチング手段３Ｆは、前記在庫借入希望データ受付手段３Ｂにて受け付けた在庫借入希望データ及び、前記在庫貸出希望データ受付手段３Ａにて受け付けた在庫貸出希望データに基づいて特定される条件をマッチング条件として、前記在庫貸出者と在庫借入者とをマッチングする。
【００６１】
具体的には、在庫借入者側端末装置Ｐ２から在庫商品借入希望データを受信することをトリガーとして、送信されてきた在庫商品借入希望データに基づいて、貸出する在庫商品を特定し、当該在庫商品を取り扱う在庫貸出者と在庫借入者とをマッチングする。
【００６２】
例えば、在庫借入者が在庫商品を検索した結果、在庫商品識別子などにより在庫商品を特定した在庫商品借入希望データを送信して来た際には、当該在庫商品識別子に基づいて、前記記憶手段３Ｃに記憶された在庫商品情報から該当する在庫商品を読み出してマッチングを行い、前記記憶手段３Ｃにマッチング結果を格納する。ここで、本実施の形態における前記マッチング条件とは、例えば前記在庫貸出希望データ受付手段３Ａにて受け付けた在庫貸出希望データに基づいて特定される在庫商品識別子等が、前記在庫借入希望データ受付手段３Ｂにて受け付けた在庫借入希望データに基づいて特定される在庫商品識別子と合致することをマッチング条件としてマッチングを行う。
【００６３】
また、本実施の形態においては、複数の在庫借入者が同一の在庫商品について借入を希望した場合には、在庫借入者が借り入れた在庫商品の販売実績に基づいた優先順位に従ってマッチングを行う
具体的には、複数の在庫借入者が同一の在庫商品について借入を希望した場合には、例えば前記在庫借入希望データ受付手段３Ｂにて受け付けた在庫借入希望データに基づいて特定される在庫借入者識別子に基づいて、在庫借入者が借り入れた在庫商品の販売実績を読み出す。そして、販売実績回数が多い方を優先的にマッチングさせるなど、予め定めておいた優先順位に基づいて判断し、マッチングを行う。
【００６４】
尚、販売実績回数の他、販売実績金額、販売実績数量等に基づいて判断しても良い。
【００６５】
また、マッチング条件は、前記の通り在庫商品識別子等が合致する場合だけでなく、在庫商品種別が合致する商品条件や、貸出価格が希望価格以下であることを条件とする貸出価格条件、貸出数量が借入希望数量以上であることを条件とする借入希望数量条件、貸出期間が、希望する借入期間以上であることを条件とする貸出期間条件等をマッチング条件としても良い。
【００６６】
マッチング結果出力手段３Ｇは、前記マッチング手段３Ｆにてマッチングした結果を出力する。具体的には、在庫貸出者側端末装置Ｐ１及び在庫借入者側端末装置Ｐ２にマッチング結果データを送信する。
【００６７】
ここで、マッチング結果データとは、具体的には、在庫貸出者側端末装置Ｐ１には、マッチング成立情報の他、貸出する在庫商品情報（マッチングが決定した商品名等）、販売時条件、貸出商品数、貸出期間等の貸出条件情報、貸し出す在庫商品の発送時期等の発送情報が送信される。
【００６８】
ここで、本実施の形態においては、在庫貸出者が在庫借入者に対して直接在庫商品を発送するシステムを採用せず、貸出される在庫商品を、配送業者が回収に行く方法や、一旦、在庫商品貸借支援装置ＳＲＶの運営者が指定する配送先に配送させるシステムを採用している。
【００６９】
また、在庫借入者側端末装置Ｐ２には、マッチング成立情報の他、借入する在庫商品情報（マッチングが決定した商品名等）、貸出商品数、貸出期間等の貸出条件情報、借入する在庫商品の発送時期や配送先等の発送情報が送信される。また、販売時に支払われる貸出料金等の販売時条件等の情報や、借り入れた在庫商品が販売できなかった際に返却する返却先情報も送信される。
【００７０】
貸出状況管理手段３Ｈは、マッチングが成立した在庫商品に関する貸出状況を管理する機能を有している。
【００７１】
具体的には、貸出中の在庫商品に関する貸出状況（貸出中、販売済、貸出期間満了等）を管理する。まず、マッチングが成立した時点で貸出中の貸出状況を確保し、在庫借入者側端末装置Ｐ２から販売済のデータを受信すると、その在庫商品について貸出状況を販売済とする。
【００７２】
更に、図示しないタイマー手段に基づいて個々の貸出中の在庫商品に関する貸出期間を管理し、貸出期間が満了したと判断したときには、貸出商品の返却要求データを送信する旨の信号を出力する。
【００７３】
貸出状況出力手段３Ｉは、貸出状況管理手段３Ｈが、在庫商品が販売されたと判断した際には、販売時に履行される販売時条件を読み出し、その販売時条件を在庫借入者側端末装置Ｐ２へと送信する。また、貸出状況管理手段３Ｈが、貸出期間が満了したと判断したときに、前記記憶手段３Ｃに記憶された在庫借入者情報を読み出し、貸出商品の返却要求データを在庫借入者側端末装置Ｐ２へと送信する。
【００７４】
発送データ管理手段３Ｊは、前記マッチング手段３Ｆにてマッチングが成立し貸出が決定した在庫商品の発送データを管理する。つまり、前記記憶手段３Ｃに記憶された複数の発送データを、例えば図示しないタイマ手段を用いて、一週間等の一定の期間内蓄積し、蓄積期間終了後に一定の条件に従って発送データを分類して集積する。例えば、前記記憶手段３Ｃに記憶された発送データに基づいて、在庫借入者別、地域別、配送業者別等、発送するために効率の良いデータの集積を行う。
【００７５】
発送データ出力手段３Ｋは、前記発送データ管理手段３Ｊにて分類して集積した在庫商品の発送データを、前記記憶手段３Ｃから読み出し、担当する配送業者へと送信する。
【００７６】
配送業者側端末装置Ｐ４は、前記在庫商品貸借支援装置ＳＲＶから送信されてきた発送データを受け付ける発送データ受付手段４Ａを有している。
【００７７】
３．動作例
以下、上記在庫商品が在庫商品貸借支援装置ＳＲＶによって貸借される工程について図４乃至図１１を参照して説明する。
【００７８】
まず、前述の通り構成されたシステムによって、在庫貸出者が、在庫貸出者側端末装置Ｐ１を用いて在庫商品貸借支援装置ＳＲＶに対して、自己が貸出を希望する在庫商品を登録する際のフローについて説明する。
【００７９】
在庫貸出者は、図６にしめすように、在庫貸出者側端末装置Ｐ１をインターネットなどのネットワークＮを介して在庫商品貸借支援装置ＳＲＶに接続し、在庫商品貸借支援装置ＳＲＶにログインする。在庫商品貸借支援装置ＳＲＶは、このログインの情報を受け付け（ステップＳ１：ＹＥＳ）ここでもし事前に登録がされていない場合には、（ステップＳ２：ＮＯ）在庫貸出者に登録を促す画面を送信し（ステップＳ３）、登録者の氏名、電子メールアドレス、電話番号、住所等の識別情報等を受け付けて、登録番号を送信し、貸出する在庫商品の登録を可能とする。また、事前に登録がなされている場合には（ステップＳ２：ＹＥＳ）、在庫商品貸借支援装置ＳＲＶは、在庫商品の登録画面を送信する（ステップＳ４）。
【００８０】
尚、登録の中には、既存の登録情報を修正して登録し直す場合も含まれる。
【００８１】
次に、在庫商品貸借支援装置ＳＲＶは、在庫貸出者側端末装置Ｐ１から送信されてきた在庫商品貸出希望データを受け付けると（ステップＳ５：Ｙ）、前記記憶手段３Ｃに、前記商品貸出希望データを記憶する（ステップＳ６）。
【００８２】
具体的には、在庫貸出者側端末装置Ｐ１から送信されてきた在庫商品識別データとなる在庫商品識別子に基づいて、在庫商品名、当該在庫商品の画像、当該在庫商品を在庫貸出者の店舗にて販売していた販売時期、その販売時の販売価格、ターゲット年齢、販売実績などの在庫商品を識別する在庫商品識別情報の他、在庫借入者が販売した際に受け取る貸出価格などの販売時条件や、貸出商品数、貸出期間等の各種貸出条件に関する情報、更には、当該在庫商品の在庫貸出者の在庫貸出者識別子などから構成される在庫貸出者情報等を記憶する。
【００８３】
次に、在庫商品の借入を希望する在庫借入者が、実際に在庫商品を借り入れる工程について図７等を参照して説明する。
【００８４】
まず、在庫借入者は、在庫借入者側端末装置Ｐ２をインターネットなどのネットワークＮを介して在庫商品貸借支援装置ＳＲＶに接続し、在庫商品貸借支援装置ＳＲＶにログインする。在庫商品貸借支援装置ＳＲＶは、このログインの情報を受け付け（ステップＳ１１：ＹＥＳ）ここでもし事前に登録がされていない場合には、（ステップＳ１２：ＮＯ）在庫借入者に登録を促す画面を送信し（ステップＳ１３）、登録者の氏名、電子メールアドレス、電話番号、住所等の識別情報や保証金の入金情報等の情報を受け付けて、登録番号を送信する。また、事前に登録がなされている場合には（ステップＳ１２：ＹＥＳ）、在庫商品貸借支援装置ＳＲＶは、図４に示す在庫商品の検索画面を送信する（ステップＳ１４）。
【００８５】
次に、在庫商品貸借支援装置ＳＲＶは、在庫借入者側端末装置Ｐ２から送信されてきた在庫商品の検索データを受け付けると（ステップＳ１５）、検索条件（在庫商品名、販売時期、販売価格、ターゲット年齢、販売時条件、貸出商品数、貸出期間等）に合致した在庫商品を、前記在庫商品記憶手段３Ｃから読出して在庫商品貸出希望データを在庫借入者側端末装置Ｐ２へ送信する（ステップＳ１６）。
【００８６】
そして、在庫商品貸借支援装置ＳＲＶは、在庫借入者側端末装置Ｐ２から送信されてきた在庫商品借入希望データを受け付けると（ステップＳ１７：Ｙ）、当該在庫借入者と在庫貸出者とのマッチングを行う（ステップＳ１８）。
【００８７】
具体的には、図８に示すように、前記在庫借入希望データ受付手段３Ｂを用いて、在庫借入者側端末装置Ｐ２から在庫商品借入希望データを受信すると（ステップＳ１０１：Ｙ）、前記記憶手段３Ｃに記憶される在庫商品貸出希望データに含まれる在庫商品識別子を読出し、当該在庫商品借入希望データに含まれる在庫商品識別子と合致するか否かを判断する。
【００８８】
そして、合致する在庫商品識別子があると（ステップＳ１０２：Ｙ）当該在庫商品識別子及び合致した在庫商品識別子を含む在庫商品借入希望データや在庫商品貸出希望データ等を記憶する（ステップＳ１０３）。
【００８９】
一方、マッチングに際しては、例えば１週間などの一定期間を、マッチングを受け付けるマッチング期間として定めておき、複数の借入希望者から在庫商品借入希望データを受け付ける。そして、予め定めておいた優先順位に従ってマッチングを成立させる在庫借入者を判断する。
【００９０】
詳述すると、前記マッチング手段３Ｆは、図９に示すように、マッチング期間が満了すると（ステップＳ２０１：Ｙ）、前記ステップＳ１０３にて、合致した在庫商品借入希望データが記憶されているか否かを判断する。そして、合致した在庫商品借入希望データが記憶されていない場合には（ステップＳ２０３：Ｎ）、マッチング不成立信号を出力する（ステップＳ２０７）。一方、合致した在庫商品借入希望データが記憶されているおり（ステップＳ２０３：Ｙ）、当該合致した在庫商品借入希望データが一つの場合には、この在庫商品借入希望データにてマッチングが成立した旨の信号を出力する（ステップＳ２０６）。また、当該合致した在庫商品借入希望データが複数の場合には（ステップＳ２０３：Ｎ）、在庫商品借入希望データに基づいて前記記憶手段３Ｃから当該在庫商品借入希望者の販売実績回数を読出し（ステップＳ２０４）、予め定めた優先順位に従ってマッチングを成立させる借入者を判断する（ステップＳ２０５）。本実施の形態においては、前記ステップＳ２０４にて読み出した販売実績回数を比較し、最も販売実績回数の多い借入者を優先してマッチングさせて、マッチング成立信号を出力する（ステップＳ２０６）。
【００９１】
そして、図１０に示すように、前記マッチング工程によりマッチングが成立すると（ステップＳ１９：Ｙ）、当該マッチングデータを前記記憶手段３Ｃのマッチング結果記憶領域に記憶し（ステップＳ２０）、そして当該マッチング結果を、在庫借入者端末装置及び在庫貸出者端末装置へと送信する（ステップＳ２１）。具体的には、在庫貸出者側端末装置Ｐ１には、マッチング成立情報の他、マッチングが決定した商品名等の貸出する在庫商品情報、貸出商品数、貸出期間等の貸出条件情報、貸し出す在庫商品の発送時期や配送先等の発送情報が送信される。また、在庫借入者側端末装置Ｐ２には、在庫貸出者端末装置には、マッチング成立情報の他、マッチングが決定した商品名等の借入する在庫商品情報、貸出商品数、貸出期間等の貸出条件情報、借入する在庫商品の発送時期や配送先等の発送情報が送信される。また、借り入れた在庫商品を販売できなかった場合の返送先情報や、販売時に支払われる貸出料金等の販売時条件等の情報も送信される。
【００９２】
また、当該在庫貸借支援装置は、発送管理手段を用いて貸し出される在庫商品の発送を管理している。
【００９３】
つまり、前記マッチング工程により、マッチングが成立すると、このマッチングが成立した在庫商品の発送データを順次記憶していく。
【００９４】
具体的には、当該貸し出される在庫商品の識別子に基づいて、記憶手段３Ｃに記憶されたマッチング結果情報から、在庫商品識別子に基づいて在庫借入者の住所等を読み出し、前記在庫商品識別子に基づいて、当該在庫商品の発送を配送業者等に指示する発送データ送信日時、当該在庫商品の配送先情報、配送業者の連絡先等を含む配送業者情報、在庫商品の在庫借入者に在庫商品を発送する発送日時、当該在庫商品の在庫貸出者情報等を関連付けて記憶していく。
【００９５】
そして、前記発送データ管理手段３Ｊは、前記記憶手段３Ｃに記憶された複数の発送データを、例えば図示しないタイマ手段を用いて、一週間等の一定の期間内蓄積しておき、例えば一週間など一定期間が経過して発送時期になると（ステップＳ３０１：Ｙ）、当該期間内に発送データ送信日時を向かえる複数の発送データを予め定めた分類条件に従って分類する（ステップＳ３０２）。分類条件としては、例えば、前記記憶手段３Ｃに記憶された発送データに基づいて、在庫借入者別、地域別、配送業者別等、配送するために効率の良いデータの分類を行う。
【００９６】
そして、前記発送データ管理手段３Ｊにて分類して集積した在庫商品の発送データを、前記記憶手段３Ｃから読み出し、前記発送データ出力手段３Ｋを用いて発送データを配送業者の有する配送業者側端末装置Ｐ４へと送信する（ステップＳ３０３）。
【００９７】
加えて、在庫貸借支援装置は、前記貸出状況管理手段３Ｈを用いて貸し出した在庫商品の貸出状況の管理も行う。
【００９８】
図１１を参照して説明すると、各種貸出状況情報を受け付けることにより（ステップＳ４０１：Ｙ）、在庫商品の貸出状況を管理する。
【００９９】
まず、マッチングが成立した時点で、マッチング手段３Ｆから貸出中の貸出状況情報を受け付けると（ステップＳ４０２：Ｙ）、在庫商品の貸出状況を貸出中として前記記憶手段３Ｃに記憶する（ステップＳ４０３）。また、既に貸出中であり（ステップＳ４０２：Ｙ）、当該在庫商品貸借支援装置ＳＲＶが、図示しない販売済データ受付手段を用いて、在庫借入者側端末装置Ｐ２から借り入れられた在庫商品が販売された旨の販売済のデータを受信すると（ステップＳ４０４：Ｙ）、その在庫商品について貸出状況を貸出中から販売済として書き換えて記憶し（ステップＳ４０５）、前記記憶手段３Ｃから販売時に履行される販売時条件を読み出し、その販売時条件を含む販売済み情報を在庫貸出者側端末装置Ｐ１及び在庫借入者側端末装置Ｐ２へと送信する（ステップＳ４０６）。
【０１００】
更に、図示しないタイマー手段に基づいて個々の貸出中の在庫商品に関する貸出期間を管理しておき、貸出期間が満了したと判断したときには（ステップＳ４０７：Ｙ）、貸出状況を貸出期間満了に書き換え（ステップＳ４０８）、当該貸出期間満了情報を在庫貸出者側端末装置Ｐ１及び在庫借入者側端末装置Ｐ２へと送信する（ステップＳ４０９）。尚、在庫借入者側端末装置Ｐ２へは、貸出された在庫商品の返却要求データが含まれる。
【０１０１】
以上の在庫商品貸借支援装置ＳＲＶを用いることにより、在庫商品を抱える様々な業界において、業者等が抱える在庫商品の流通を支援促進することが可能となる。つまり、各々の業者が抱える在庫商品を業者間にて流通させ、在庫商品の共有化を図ることで、在庫商品の仕入れリスクを軽減できると同時に必要な商品を効率よく手に入れるシステムを実現することができる。また、これにより在庫商品の販売機会を飛躍的に向上することが可能となる。
【０１０２】
具体的には、前記販売時条件データを在庫商品が販売された際に発生する料金データとし、在庫商品が販売された際には貸出者に料金が支払われるシステムを構築することで、在庫貸出者の出品意欲を増進させて本システムの稼動を促進することができる。
【０１０３】
また、在庫借入者が借り入れた在庫商品の販売実績に基づいた優先順位に従ってマッチングを行うことにより、在庫借入者が借り入れた在庫商品を販売しようとする意欲をかきたて、在庫商品の販売機会を更に増大させることができる。
【０１０４】
加えて、在庫貸出希望データを、在庫借入者が在庫貸出者を特定できない状態で出力する在庫貸出希望データ出力手段３Ｄを有することで、在庫貸出者の匿名性を確保すると共に、在庫貸出者と在庫借入者とが直接取引きすることを未然に防止することが可能となる。
【０１０５】
更に、前記マッチング手段３Ｆにてマッチングが成立し、貸出が決定した在庫商品の発送データを記憶する発送データ記憶手段３Ｃと、前記発送データ記憶手段３Ｃに一定期間内に記憶された複数の発送データを、予め定めた発送条件に従って分類して集積する発送データ管理手段３Ｊと、前記発送データ管理手段３Ｊにて分類された発送データを前記発送データ記憶手段３Ｃから読み出して発送を指示する発送データを出力する発送データ出力手段３Ｋとを備えているため、貸し出しが確定した在庫商品の効率的な発送を行うことができる。
【０１０６】
なお、本発明は上記実施形態に限られない。
【０１０７】
例えば、当該在庫商品貸借支援装置ＳＲＶにて、決済処理も行っても良い。具体的には、決算手段を設け、在庫商品が販売された際に発生する貸出料金や、当該在庫商品貸借支援装置ＳＲＶの運営者に支払う手数料等の決済画面を必要に応じて在庫商品貸出者側端末装置Ｐ１や在庫商品借入者側端末装置Ｐ２に送信し、ＷＥＢサイト上にて決済を行えるようにしても良い。その際には、例えば貸出者及び借入者の登録を行う際に、決済金融機関等のデータも記憶しておくことも考えられる。
【０１０８】
更に、在庫商品の運搬過程での損傷や在庫商品の紛失などの不測の事態に備え、保険管理手段を備えても良い。つまり、例えば前記保険管理手段にて別途保険会社と定めた保険条件を前記記憶手段３Ｃに記憶しておき、マッチング結果を送信する際に当該保険条件情報を送信することも考えられる。また、前記決算手段にて保険金を決済しても良い。更に、図示しない保険会社が有する保険会社側端末装置と接続し、保険開始情報等を送受信して保険管理を行っても良い。
【図面の簡単な説明】
【０１０９】
【図１】本実施の一実施形態における全体構成図。
【図２】同実施の形態における在庫貸出者側端末装置の概略的な機器構成図。
【図３】同実施の形態における機能ブロック図
【図４】同実施形態における在庫商品貸借支援装置の検索画面図。
【図５】同実施形態における在庫商品貸借支援装置の申込画面図。
【図６】同実施形態における在庫商品貸借支援装置の動作フローチャート。
【図７】同実施形態における在庫商品貸借支援装置の動作フローチャート。
【図８】同実施形態における在庫商品貸借支援装置の動作フローチャート。
【図９】同実施形態における在庫商品貸借支援装置の動作フローチャート。
【図１０】同実施形態における在庫商品貸借支援装置の動作フローチャート。
【図１１】同実施形態における在庫商品貸借支援装置の動作フローチャート。
【符号の説明】
【０１１０】
ＳＲＶ・・・在庫商品貸借支援装置。
３Ａ・・・在庫貸出希望データ受付手段
３Ｂ・・・在庫借入希望データ受付手段
３Ｃ・・・発送データ記憶手段（記憶手段）
３Ｄ・・・在庫貸出希望データ出力手段
３Ｆ・・・マッチング手段
３Ｇ・・・マッチング結果出力手段
３Ｊ・・・発送データ管理手段
３Ｋ・・・発送データ出力手段
【図１】
2006163493.tif 000003
【図２】
2006163493.tif 000004
【図３】
2006163493.tif 000005
【図４】
2006163493.tif 000006
【図５】
2006163493.tif 000007
【図６】
2006163493.tif 000008
【図７】
2006163493.tif 000009
【図８】
2006163493.tif 000010
【図９】
2006163493.tif 000011
【図１０】
2006163493.tif 000012
【図１１】
2006163493.tif 000013